(57)【要約】【課題】巻線ワイヤの導通接続を容易に行うことができるレンズホルダ等を提供する。【解決手段】レンズホルダ１は、ホルダ本体１０と、ホルダ本体１０に巻き付けられる巻線ワイヤ２０ａとを備える。ホルダ本体１０は、巻胴部１３と、ホルダ本体１０の表面から突出する第１突起部１１ａおよび第２突起部１２ａと、第１突起部１１ａと第２突起部１２ａとの間に位置しホルダ本体１０の表面に設けられた巻線用端子３１ａとを有している。巻線ワイヤ２０ａの一部は、巻胴部１３に巻回されてコイルＴＣを形成し、巻線ワイヤ２０ａの端部ｗｅは、第２突起部１２ａに巻き付けられ、巻線用端子３１ａに接続されている。【選択図】図３
2018129107.tif 000002
【特許請求の範囲】
【請求項１】
ホルダ本体と、前記ホルダ本体に巻き付けられる巻線ワイヤとを備えるレンズホルダであって、
前記ホルダ本体は、巻胴部と、前記ホルダ本体の表面から突出する第１突起部および第２突起部と、前記第１突起部と前記第２突起部との間に位置し前記ホルダ本体の表面に設けられた巻線用端子とを有し、
前記巻線ワイヤの一部は、前記巻胴部に巻回されてコイルを形成し、
前記巻線ワイヤの端部は、前記第２突起部に巻き付けられ、前記巻線用端子に接続されている
レンズホルダ。
【請求項２】
前記第２突起部は、前記巻線用端子と前記コイルとを前記巻線ワイヤで繋ぐワイヤ配線経路上に配置され、前記第１突起部は、前記ワイヤ配線経路外に配置されている
請求項１に記載のレンズホルダ。
【請求項３】
前記巻線用端子は、ランド状の電極であり、
前記巻線ワイヤの前記端部は、はんだを用いて前記巻線用端子に接続されている
請求項１または２に記載のレンズホルダ。
【請求項４】
前記ホルダ本体は、前記第１突起部と前記第２突起部との間に設けられた配線基板を含み、
前記巻線用端子は、前記配線基板の表面に形成されている
請求項１〜３のいずれか１項に記載のレンズホルダ。
【請求項５】
前記ホルダ本体は、一対の側面を有し、
前記第１突起部および前記第２突起部は、それぞれが前記一対の側面から突出している
請求項１〜４のいずれか１項に記載のレンズホルダ。
【請求項６】
前記巻線用端子と前記コイルとを前記巻線ワイヤで繋ぐワイヤ配線経路を複数有し、
複数の前記ワイヤ配線経路と対応して、前記ホルダ本体の前記側面に、１つの前記第１突起部、１つの前記巻線用端子および１つの前記第２突起部を１組とする複数組の前記第１突起部、前記巻線用端子および前記第２突起部が設けられている
請求項５に記載のレンズホルダ。
【請求項７】
前記第１突起部の前記側面からの突出量は、前記第２突起部の前記側面からの突出量以上である
請求項５に記載のレンズホルダ。
【請求項８】
請求項１〜７のいずれか１項に記載のレンズホルダと、
前記ホルダ本体に固定された対物レンズと、
一端側が前記ホルダ本体に接続されたリード線と、
前記リード線の他端側に接続され、前記リード線を介して前記ホルダ本体を支持するハウジングと、
前記ハウジングに固定された磁石と
を備える対物レンズ駆動装置。
【請求項９】
前記ホルダ本体の表面には、さらに、前記巻線用端子と導通するリード線用端子が設けられ、
前記リード線の一端側は、前記リード線用端子に接続されている
請求項８に記載の対物レンズ駆動装置。
【請求項１０】
請求項８または９に記載の対物レンズ駆動装置と、
前記対物レンズ駆動装置の前記ハウジングを固定する筐体と
を備える光ピックアップ装置。
【請求項１１】
巻線ワイヤが巻き付けられたレンズホルダを形成するレンズホルダの製造方法であって、
前記レンズホルダは、前記巻線ワイヤの端部の一部を固定する第１固定部と、前記巻線ワイヤの前記端部の一部よりも中央側に位置する前記端部の他の一部を固定する第２固定部と、前記第２固定部よりも前記巻線ワイヤの中央側に位置する巻胴部と、前記第１固定部と前記第２固定部との間に位置する巻線用端子とを有し、
前記第１固定部に前記巻線ワイヤの前記一部を固定する工程と、
前記第１固定部と第２固定部とを繋ぐように前記巻線ワイヤを延設する工程と、
前記第２固定部に前記巻線ワイヤの前記他の一部を固定する工程と、
前記第２固定部と前記巻胴部とを繋ぐように巻線ワイヤを引き回す工程と、
前記巻胴部に前記巻線ワイヤを巻回する工程と、
前記第１固定部と第２固定部との間に延設された前記巻線ワイヤを、前記巻線用端子にはんだ付けする工程と
を含むレンズホルダの製造方法。
【発明の詳細な説明】
【技術分野】
【０００１】
本開示は、レンズホルダ、対物レンズ駆動装置、光ピックアップ装置およびレンズホルダの製造方法に関する。
【背景技術】
【０００２】
特許文献１は、レンズホルダを備える対物レンズ駆動装置を開示する。この対物レンズ駆動装置では、巻線ワイヤを予め巻回し成形したコイル成形部品をレンズホルダに取り付けた後、はんだ付けすることで、巻線ワイヤを導通接続している。
【先行技術文献】
【特許文献】
【０００３】
【特許文献１】特開２０００−５７６０１号公報
【発明の概要】
【発明が解決しようとする課題】
【０００４】
本開示は、巻線ワイヤの導通接続を容易に行うことができるレンズホルダ等を提供する。
【課題を解決するための手段】
【０００５】
本開示におけるレンズホルダは、ホルダ本体と、前記ホルダ本体に巻き付けられる巻線ワイヤとを備えるレンズホルダであって、前記ホルダ本体は、巻胴部と、前記ホルダ本体の表面から突出する第１突起部および第２突起部と、前記第１突起部と前記第２突起部との間に位置し前記ホルダ本体の表面に設けられた巻線用端子とを有し、前記巻線ワイヤの一部は、前記巻胴部に巻回されてコイルを形成し、前記巻線ワイヤの端部は、前記第２突起部に巻き付けられ、前記巻線用端子に接続されている。
【発明の効果】
【０００６】
本開示のレンズホルダは、巻線ワイヤの導通接続を容易に行うことができる。
【図面の簡単な説明】
【０００７】
【図１】実施の形態における光ピックアップ装置を内蔵する光ディスク装置の一部を示す平面図
【図２】実施の形態におけるレンズホルダを備える対物レンズ駆動装置の斜視図
【図３】実施の形態におけるレンズホルダにトラッキング用のコイルが形成された状態を示す図であって、（ａ）は平面図、（ｂ）は正面図、（ｃ）は背面図、（ｄ）は左側面図、（ｅ）は右側面図
【図４】実施の形態におけるレンズホルダにフォーカス用のコイルが形成された状態を示す図であって、（ａ）は平面図、（ｂ）は正面図、（ｃ）は背面図、（ｄ）は左側面図、（ｅ）は右側面図
【図５】実施の形態におけるレンズホルダであって、コイルが形成される前のレンズホルダを示す図
【図６】実施の形態におけるレンズホルダの製造方法を示すフローチャート
【図７Ａ】実施の形態におけるレンズホルダの第１突起部および第２突起部に巻線ワイヤを巻き付ける様子を示す図
【図７Ｂ】実施の形態におけるレンズホルダの巻線用端子に巻線ワイヤを接続する様子を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、当業者が本開示を十分に理解するために添付図面および以下の説明を提供するのであって、これらによって特許請求の範囲に記載の主題を限定することを意図するものではない。
【００１０】
（実施の形態）
［１．光ピックアップ装置の構成］
まず、本実施の形態における光ピックアップ装置３について説明する。図１は、光ピックアップ装置３を内蔵する光ディスク装置４の一部を示す平面図である。
【００１１】
光ディスク装置４は、ＣＤ、ＤＶＤまたはＢｌｕ−ｒａｙ（登録商標）  Ｄｉｓｃなどのディスク（記録媒体）５に情報の記録、書き込みを行う記録再生装置である。光ディスク装置４は、外箱の内部に、ディスク５を回転するターンテーブル８１と、ディスク５の所定位置にレーザ光を照射する光ピックアップ装置３とを備えている。光ディスク装置４は、ターンテーブル８１の半径方向と平行に延在するスクリューシャフト（図示省略）と、一対のガイドシャフト８２とを備えている。
【００１２】
光ピックアップ装置３は、スクリューシャフトの駆動によって、ガイドシャフト８２に沿って半径方向に移動する。光ピックアップ装置３は筐体７０を有し、筐体７０上に後述する対物レンズ駆動装置２、および、各種部品が搭載されている。なお、各種部品として、制御用ＩＣ、レーザ光学系部品、対物レンズ駆動装置２のドライバが搭載されていてもよい。
【００１３】
［２．対物レンズ駆動装置およびレンズホルダの基本構成］
次に、図２を参照しつつ、対物レンズ駆動装置２およびレンズホルダ１の基本構成について説明する。
【００１４】
図２は、実施の形態における対物レンズ駆動装置２の斜視図である。図３は、レンズホルダ１にトラッキング用のコイルＴＣが形成された状態を示す図である。図４は、レンズホルダ１にフォーカス用のコイルＦＣ１、ＦＣ２が形成された状態を示す図である。
【００１５】
対物レンズ駆動装置２は、レンズホルダ１に固定された対物レンズ４０を所定方向に移動する装置である。以下において、対物レンズ４０の光軸と平行なフォーカス方向をＺ方向とし、ターンテーブル８１の半径方向と平行なトラッキング方向をＹ方向とし、Ｚ方向およびＹ方向の両方に垂直な方向をＸ方向として説明する。
【００１６】
対物レンズ駆動装置２は、図２に示すように、レンズホルダ１と、対物レンズ４０と、一対のリード線５６ａ、５６ｂ、５６ｃと、ハウジング５０と、複数の磁石６０ａ、６０ｂと、フレキシブルケーブル５９とを備える。対物レンズ駆動装置２は、フレキシブルケーブル５９を介して、光ディスク装置４または光ピックアップ装置３から電力を供給される。
【００１７】
レンズホルダ１は、図３〜図５に示すように、直方体状であり、Ｘ方向に互いに対向する一対の側面１０ａ、１０ｂと、Ｙ方向に互いに対向する一対の側面１０ｃ、１０ｄと、側面１０ａ、１０ｂおよび側面１０ｃ、１０ｄの両方に垂直な天面１０ｅとを有している。レンズホルダ１は、Ｚ方向から見た場合に、Ｙ方向に長辺、Ｘ方向に短辺を有する長方形状である。レンズホルダ１は、例えば、硬質の合成樹脂から形成される。軽量化のため、レンズホルダ１の底から内部にかけては空洞になっている。
【００１８】
レンズホルダ１の天面１０ｅ側には、レンズ固定穴１９が設けられている。対物レンズ４０は、このレンズ固定穴１９に嵌め込まれ、固定されている。
【００１９】
レンズホルダ１の側面１０ａには、側面１０ａから突出する巻胴部１３、１５、１７が設けられている。巻胴部１３は、長辺が延びる方向（Ｙ方向）の中央に配置され、巻胴部１５、１７のそれぞれは、巻胴部１３の両側に配置されている。また、レンズホルダ１の側面１０ｂには、側面１０ｂから突出する巻胴部１４、１６、１８が設けられている。巻胴部１４は、長辺が延びる方向の中央に配置され、巻胴部１６、１８のそれぞれは、巻胴部１４の両側に配置されている。
【００２０】
図３および図４に示すように、巻胴部１３、１４のそれぞれには、巻線ワイヤ２０ａが約３０ターン巻回され、トラッキング用のコイルＴＣが形成されている。巻胴部１５、１６には、巻線ワイヤ２０ｂが約４０ターン巻回され、フォーカス用のコイルＦＣ１が形成されている。巻胴部１７、１８には、巻線ワイヤ２０ｃが約４０ターン巻回され、フォーカス用のコイルＦＣ２が矩形状に形成されている。コイルＦＣ１の巻方向は、コイルＦＣ２の巻方向と逆である。コイルＴＣ、ＦＣ１、ＦＣ２は、矩形状であり、各コイル軸がＸ方向に平行となるように配置されている。巻線ワイヤ２０ａ〜２０ｃは、例えば、銅材からなり、表面に被膜が形成されている。
【００２１】
レンズホルダ１の側面１０ｃ、１０ｄのそれぞれには、複数の第１突起部１１ａ、１１ｂ、１１ｃおよび複数の第２突起部１２ａ、１２ｂ、１２ｃが設けられている。これら第１突起部１１ａ〜１１ｃおよび第２突起部１２ａ〜１２ｃを含む構成については、後で詳述する。
【００２２】
図２に示すように、一対のリード線５６ａ、５６ｂ、５６ｃは、Ｘ方向に沿って延設され、一端Ｌｅ１側がレンズホルダ１のそれぞれの側面１０ｃ、１０ｄに接続されている。リード線５６ａ〜５６ｃは、弾性を有するサスペンション用のワイヤであり、レンズホルダ１を支持するとともに、レンズホルダ１の移動量が所定範囲に収まるようにレンズホルダ１の動きを規制する。また、リード線５６ａ〜５６ｃは、給電用のワイヤであり、フレキシブルケーブル５９に入力された電力を巻線ワイヤ２０ａ〜２０ｃ（すなわちコイルＴＣ、ＦＣ１、ＦＣ２）に供給する。リード線５６ａ〜５６ｃは、例えば、ベリリウム銅材からなり、表面に金属めっきが施されている。
【００２３】
ハウジング５０は、シャーシに相当するハウジング本体５１と、ハウジング本体５１に設けられた支持ブロック５２とを有している。ハウジング本体５１は、例えば帯磁性を有する鉄などの金属である。支持ブロック５２は、樹脂材料からなる一対のダンパ５３を有している。ダンパ５３には、リード線５６ａ、５６ｂ、５６ｃの他端Ｌｅ２側が接続されている。ハウジング５０は、これらリード線５６ａ〜５６ｃを介してレンズホルダ１を支持している。また、ハウジング５０は、ヨークとしての機能を有し、一部が折り曲げて形成され、Ｘ方向に互いに対向する磁石固定部５４ａ、５４ｂを有している。
【００２４】
磁石６０ａ、６０ｂのそれぞれは、四角柱状であり、磁石６０ａは、接着等で磁石固定部５４ａに固定され、磁石６０ｂは接着等で磁石固定部５４ｂに固定されている。磁石６０ａ、６０ｂのそれぞれは、Ｘ方向に互いに対向する対向面を有している。磁石６０ａの対向面は、ホルダ本体１０の側面１０ａに対向し、磁石６０ｂの対向面は、ホルダ本体１０の側面１０ｂに対向している。例えば、磁石６０ａの対向面では、磁石６０ａの長手方向（Ｙ方向）の中央を境として、Ｙ方向プラス側がＮ極、Ｙ方向マイナス側がＳ極となっている。また、磁石６０ｂの対向面では、磁石６０ｂの長手方向の中央を境として、Ｙ方向プラス側がＳ極、Ｙ方向マイナス側がＮ極となっている。この構造により、磁石６０ａ、６０ｂで挟まれた空間に磁場を形成している。
【００２５】
矩形状のコイルＦＣ１、ＦＣ２の上辺（Ｚ方向プラス側に位置する辺）は、磁石６０ａ、６０ｂの間に配置されている。そのため、コイルＦＣ１、ＦＣ２に電流を流した場合、コイルＦＣ１、ＦＣ２にＺ方向の力が発生し、レンズホルダ１はＺ方向（フォーカス方向）に移動する。
【００２６】
矩形状のコイルＴＣのＹ方向プラス側に位置する辺には、Ｘ方向マイナス側へ向かう磁界が作用し、コイルＴＣのＹ方向マイナス側に位置する辺には、Ｘ方向プラス側へ向かう磁界が作用する。そのため、コイルＴＣに電流を流した場合、コイルＴＣにＹ方向の力が発生し、レンズホルダ１はＹ方向（トラッキング方向）に移動する。なお、コイルＴＣの上辺および下辺によって発生する力は相殺される。
【００２７】
このように、対物レンズ駆動装置２のレンズホルダ１は、コイルＦＣ１、ＦＣ２またはコイルＴＣへの給電によって、フォーカス方向またはトラッキング方向に移動する構造となっている。
【００２８】
［３．レンズホルダの構成］
次に、レンズホルダ１の詳細構成について説明する。
【００２９】
前述したように、巻線ワイヤ２０ａはトラッキング用のコイルＴＣを構成し、巻線ワイヤ２０ｂ、２０ｃのそれぞれはフォーカス用のコイルＦＣ１、ＦＣ２をそれぞれ構成している。これらのコイルＴＣ、ＦＣ１、ＦＣ２は、巻線ワイヤ２０ａ〜２０ｃの端部ｗｅを所定位置に固定して引き回し、巻線ワイヤ２０ａ〜２０ｃの一部を各巻胴部１３〜１８に巻回することで形成される。本実施の形態におけるレンズホルダ１では、巻線ワイヤ２０ａ〜２０ｃの端部ｗｅの領域において以下に示す構造を有している。
【００３０】
図５は、コイルＴＣ、ＦＣ１、ＦＣ２が形成される前のレンズホルダ１を示す図である。
【００３１】
図５に示すように、ホルダ本体１０の側面１０ｃには、第１突起部１１ａ、１１ｂ、１１ｃおよび第２突起部１２ａ、１２ｂ、１２ｃが設けられている。また、側面１０ｄには、第２突起部１２ａ、１２ｂ、１２ｃおよび第１突起部１１ａ、１１ｂ、１１ｃが設けられている。
【００３２】
例えば、側面１０ｃの第２突起部１２ａは、巻線ワイヤ２０ａの一方の端部ｗｅが巻き付けられ固定される部分であり、側面１０ｄの第２突起部１２ａは、巻線ワイヤ２０ａの他方の端部ｗｅが巻き付けられ固定される部分である。側面１０ｃの第１突起部１１ａは、レンズホルダ１に巻線を行うにあたり、巻線ワイヤ２０ａの一方の端部ｗｅを仮止めする部分であり、側面１０ｄの第１突起部１１ａは、巻線ワイヤ２０ａの他方の端部ｗｅを仮止めする部分である。
【００３３】
また、第１突起部１１ａは第２突起部１２ａに対して、Ｘ方向に所定距離、離れて配置されている。具体的には、巻線処理後にピンセットやはんだ工具が入るように、Ｘ方向に１ｍｍ以上１０ｍｍ以下離れて配置されている。なお、各側面１０ｃ、１０ｄの第１突起部１１ｂ、１１ｃ、第２突起部１２ｂ、１２ｃについても同様である。
【００３４】
側面１０ｃの第１突起部１１ａ〜１１ｃおよび第２突起部１２ａ〜１２ｃは、柱状であり、側面１０ｃから垂直に突出している。また、側面１０ｄの第１突起部１１ａ〜１１ｃおよび第２突起部１２ａ〜１２ｃは、柱状であり、側面１０ｄから垂直に突出している。例えば、第１突起部１１ａの側面１０ｃからの突出量は、巻線ワイヤ２０ａの直径寸法の５倍以上５０倍以下である。
【００３５】
側面１０ｃの第１突起部１１ａ〜１１ｃと第２突起部１２ａ〜１２ｃとの間には、一方の配線基板３０が設けられている。また、側面１０ｄの第１突起部１１ａ〜１１ｃと第２突起部１２ａ〜１２ｃとの間には、他方の配線基板３０が設けられている。それぞれの配線基板３０は、ホルダ本体１０の側面１０ｃまたは１０ｄに接着固定され、ホルダ本体１０と一体化されている。配線基板３０は、切り欠き部を有し、この切り欠き部を用いてホルダ本体１０に対して位置合わせされている。
【００３６】
配線基板３０の表面には、複数の巻線用端子３１ａ、３１ｂ、３１ｃと複数のリード線用端子３２ａ、３２ｂ、３２ｃとが形成されている。巻線用端子３１ａ〜３１ｃおよびリード線用端子３２ａ〜３２ｃのそれぞれは、ランド状の電極である。
【００３７】
前述したリード線５６ａ、５６ｂ、５６ｃのそれぞれの一端Ｌｅ１は、はんだ３５を用いて、リード線用端子３２ａ、３２ｂ、３２ｃのそれぞれと１対１で対応するように接続されている。リード線用端子３２ａ、３２ｂ、３２ｃのそれぞれは、配線基板３０の表面配線または内部配線を用いて、巻線用端子３１ａ、３１ｂ、３１ｃのそれぞれと１対１で対応するように接続されている。巻線用端子３１ａ、３１ｂ、３１ｃのそれぞれは、はんだ３５を用いて、巻線ワイヤ２０ａ、２０ｂ、２０ｃのそれぞれの端部ｗｅと１対１で対応するように接続されている。この配線構造により、各コイルＴＣ、ＦＣ１、ＦＣ２への給電が可能となっている。
【００３８】
ここで、第１突起部１１ａ、リード線用端子３２ａ、巻線用端子３１ａおよび第２突起部１２ａの位置関係について説明する。例えば、巻線用端子３１ａは、リード線用端子３２ａよりも第２突起部１２ａの近くに配置されている。具体的には、巻線用端子３１ａは、第１突起部１１ａと第２突起部１２ａとの間に位置しており、側面１０ｃに対して垂直な方向から見た場合に、第１突起部１１ａと第２突起部１２ａとを結ぶ直線上に位置している。また、リード線用端子３２ａは、巻線用端子３１ａよりも第１突起部１１ａの近くに配置されている。リード線用端子３２ａは、第１突起部１１ａと第２突起部１２ａとの間であって、第１突起部１１ａの斜め上側に位置している。これらの関係は、第１突起部１１ｂ、１１ｃ、リード線用端子３２ｂ、３２ｃ、巻線用端子３１ｂ、３１ｃおよび第２突起部１２ｂ、１２ｃについても同様である。
【００３９】
次に、巻線ワイヤ２０ａの巻き付けの有無について説明する。図３に示すように、例えば、巻線ワイヤ２０ａの端部ｗｅは、第２突起部１２ａに２〜１０ターン巻き付けられ固定されている。また、巻線ワイヤ２０ａの端部ｗｅの先端は、巻線用端子３１ａに、はんだ３５を用いて接続されている。換言すれば、第２突起部１２ａは、巻線用端子３１ａとコイルＴＣとを巻線ワイヤ２０ａで繋ぐワイヤ配線経路ＷＬ上に配置され、巻線ワイヤ２０ａの端部ｗｅが巻き付けられている。一方、第１突起部１１ａは、ワイヤ配線経路ＷＬ外に配置されており、巻線ワイヤ２０ａが巻き付けられていない。第１突起部１１ａに巻線ワイヤ２０ａが巻き付けられていないのは、第１突起部１１ａが、巻線ワイヤ２０ａを仮止めする部分であり、巻線後に第１突起部１１ａに巻き付けられた巻線ワイヤ２０ａが除去されるからである。
【００４０】
具体的には、図７Ａの（ａ）に示すように、第１突起部１１ａに巻線ワイヤ２０ａを巻き付けて一時的に固定し、次に図７Ａの（ｂ）に示すように、第２突起部１２ａまで巻線ワイヤ２０ａを引き回し、次に図７Ａの（ｃ）に示すように、第２突起部１２ａに巻線ワイヤ２０ａを巻き付ける。そして一連の巻線が終わった後、図７Ｂの（ａ）に示すように、第１突起部１１ａと第２突起部１２ａとの間に位置する巻線ワイヤ２０ａを巻線用端子３１ａにはんだ付けする。そして図７Ｂの（ｂ）に示すように、第１突起部１１ａと巻線用端子３１ａとの間の不要な巻線ワイヤ２０ａを除去する。
【００４１】
このように、本実施の形態では、レンズホルダ１が第１突起部１１ａを有することで、例えば、第１突起部１１ａと第２突起部１２ａとを用いて巻線ワイヤ２０ａを固定した上で、巻線用端子３１ａに巻線ワイヤ２０ａを接続することができる。これにより、巻線ワイヤ２０ａの導通接続を容易に行うことができる。
【００４２】
これらの関係は、巻線ワイヤ２０ｂ、２０ｃ、第１突起部１１ｂ、１１ｃ、第２突起部１２ｂ、１２ｃ、巻線用端子３１ｂ、３１ｃ、リード線用端子３２ｂ、３２ｃについても同様である。なお、図４の（ａ）では、巻線ワイヤ２０ｂを優先的に表示するため、例えば第２突起部１２ｂを第２突起部１２ａよりも上側に表示している。
【００４３】
［４．レンズホルダの製造方法］
次に、図６を参照しつつ、レンズホルダ１の製造方法について説明する。図６は、レンズホルダ１の製造方法を示すフローチャートである。
【００４４】
なお、レンズホルダ１は、３組のコイルＴＣ、ＦＣ１、ＦＣ２を有しているが、ここではコイルＴＣの形成方法を代表例として説明する。また、本実施の形態では、３軸以上の軸方向に移動可能なニードルを備える自動巻線機を用いて、巻線ワイヤ２０ａの引き回し、巻き付け等を行っている。
【００４５】
まず、側面１０ｃに設けられた第１突起部１１ａに巻線ワイヤ２０ａの端部ｗｅの一部ｗｅ１を巻き付けて固定する（Ｓ１１：図７Ａの（ａ）参照）。巻き付け数は、例えば２〜１０ターンである。
【００４６】
次に、上記第１突起部１１ａから側面１０ｃに設けられた第２突起部１２ａに向けて巻線ワイヤ２０ａを引き回す（Ｓ１２：図７Ａの（ｂ）参照）。これにより、側面１０ｃに垂直な方向から見て、巻線用端子３１ａと重なる位置に巻線ワイヤ２０ａが延設される。
【００４７】
その後、上記第２突起部１２ａに巻線ワイヤ２０ａの端部ｗｅの他の一部ｗｅ２を巻き付けて固定する（Ｓ１３：図７Ａの（ｃ）参照）。巻き付け数は、例えば２〜１０ターンである。なお、ここでいう巻線ワイヤ２０ａの端部ｗｅの他の一部ｗｅ２は、第１突起部１１ａで巻き付けた巻線ワイヤ２０ａの端部ｗｅの一部ｗｅ１よりも巻線ワイヤ２０ａの中央側に位置する部分である。
【００４８】
次に、上記第２突起部１２ａから側面１０ａに設けられた巻胴部１３に向けて巻線ワイヤ２０ａを引き回す（Ｓ１４）。その後、巻胴部１３に巻線ワイヤ２０ａを巻回する（Ｓ１５）。巻回数は、例えば３０ターンである。
【００４９】
次に、巻胴部１３から、ホルダ本体１０の天面１０ｅ側の突起に巻線ワイヤ２０ａを沿わせながら、側面１０ｂに設けられた巻胴部１４に向かって巻線ワイヤ２０ａを引き回す（Ｓ１６）。その後、巻胴部１４に巻線ワイヤ２０ａを巻回する（Ｓ１７）。巻回数は、例えば３０ターンである。
【００５０】
次に、巻胴部１４から側面１０ｄに設けられた第２突起部１２ａに向けて巻線ワイヤ２０ａを引き回す（Ｓ１８）。その後、上記第２突起部１２ａに巻線ワイヤ２０ａの端部ｗｅの他の一部ｗｅ２を巻き付けて固定する（Ｓ１９）。巻き付け数は、例えば２〜１０ターンである。なお、ここでいう巻線ワイヤ２０ａの端部ｗｅの他の一部ｗｅ２は、次の工程で第１突起部１１ａに巻き付ける巻線ワイヤ２０ａの端部ｗｅの一部ｗｅ１よりも巻線ワイヤ２０ａの中央側に位置する部分である。
【００５１】
次に、上記第２突起部１２ａから側面１０ｄに設けられた第１突起部１１ａに向けて巻線ワイヤ２０ａを引き回す（Ｓ２０）。これにより、側面１０ｄに垂直な方向から見て、巻線用端子３１ａと重なる位置に巻線ワイヤ２０ａが延設される。
【００５２】
その後、上記第１突起部１１ａに巻線ワイヤ２０ａの端部ｗｅの一部ｗｅ１を巻き付けて固定する（Ｓ２１）。巻き付け数は、例えば２〜１０ターンである。
【００５３】
次に、側面１０ｃの第１突起部１１ａと第２突起部１２ａとの間に延設された巻線ワイヤ２０ａの一部分を、側面１０ｃの巻線用端子３１ａに、はんだ付けする。また、側面１０ｄの第１突起部１１ａと第２突起部１２ａとの間に延設された巻線ワイヤ２０ａの一部分を、側面１０ｄの巻線用端子３１ａに、はんだ付けする（Ｓ２２：図７Ｂの（ａ）参照）。このように、巻線ワイヤ２０ａが第１突起部１１ａ、第２突起部１２ａのそれぞれに固定された状態、また、第１突起部１１ａと第２突起部１２ａとの間に延設された巻線ワイヤ２０ａの裏側に巻線用端子３１ａが配置された状態ではんだ付けするので、巻線ワイヤ２０ａを巻線用端子３１ａに容易にはんだ付けすることができる。
【００５４】
その後、第１突起部１１ａに巻き付けられた巻線ワイヤ２０ａ、および、第１突起部１１ａと巻線用端子３１ａとの間の巻線ワイヤ２０ａを、ピンセット等の工具を用いて除去する（Ｓ２３：図７Ｂの（ｂ）参照）。これにより、コイルＴＣの巻線処理が終了する。
【００５５】
同様に、巻線ワイヤ２０ｂ、２０ｃのそれぞれについてＳ１１〜Ｓ２３に示す工程を行い、２組のコイルＦＣ１、ＦＣ２を形成する。具体的には、巻線ワイヤ２０ｂを、側面１０ｃの第１突起部１１ｂ、第２突起部１２ｂ、側面１０ｂの巻胴部１６、側面１０ａの巻胴部１５、側面１０ｃの第２突起部１２ｃ、第１突起部１１ｃの順に巻き付け、その後、はんだ付けおよび不要な巻線ワイヤの除去処理を行う。これにより、１組のコイルＦＣ１を形成する。また、巻線ワイヤ２０ｃを、側面１０ｄの第１突起部１１ｂ、第２突起部１２ｂ、側面１０ｂの巻胴部１８、側面１０ａの巻胴部１７、側面１０ｄの第２突起部１２ｃ、第１突起部１１ｃの順に巻き付け、その後、はんだ付けおよび不要な巻線ワイヤの除去処理を行う。これにより、１組のコイルＦＣ２を形成する。
【００５６】
なお、コイルＴＣ、コイルＦＣ１、ＦＣ２のＳ１１〜Ｓ２１の工程を先に行い、その後、Ｓ２２およびＳ２３の工程をまとめて行ってもよい。これらの工程により、巻線ワイヤ２０ａ〜２０ｃが巻き付けられ、コイルＴＣ、ＦＣ１、ＦＣ２を有するレンズホルダ１を形成することができる。
【００５７】
なお、対物レンズ駆動装置２は、例えば以下に示す工程によって形成する。すなわち上記Ｓ２３の工程の後、レンズホルダ１に対物レンズ４０を取り付ける。また、リード線５６ａ〜５６ｃの他端Ｌｅ２が取り付けられたハウジング５０と、上記レンズホルダ１とを治具上に載せ、リード線５６ａ〜５６ｃの一端Ｌｅ１をリード線用端子３２ａ〜３２ｃに、はんだ付けする。上記により、対物レンズ駆動装置２を形成することができる。
【００５８】
［５．効果等］
以上のように、本実施の形態において、レンズホルダ１は、ホルダ本体１０と、ホルダ本体１０に巻き付けられる巻線ワイヤ（例えば２０ａ）とを備える。ホルダ本体１０は、巻胴部（例えば１３）と、ホルダ本体１０の表面から突出する第１突起部（例えば１１ａ）および第２突起部（例えば１２ａ）と、第１突起部１１ａと第２突起部１２ａとの間に位置しホルダ本体１０の表面に設けられた巻線用端子（例えば３１ａ）とを有している。巻線ワイヤ２０ａの一部は、巻胴部１３に巻回されてコイル（例えばＴＣ）を形成し、巻線ワイヤ２０ａの端部ｗｅは、第２突起部１２ａに巻き付けられ、巻線用端子３１ａに接続されている。
【００５９】
このように、レンズホルダ１が第１突起部１１ａを有することで、例えば、第１突起部１１ａと第２突起部１２ａとを用いて巻線ワイヤ２０ａを固定した上で、第１突起部１１ａと第２突起部１２ａとの間に位置する巻線用端子３１ａに巻線ワイヤ２０ａを接続することができる。これにより、巻線ワイヤ２０ａの導通接続を容易に行うことができる。また、巻線ワイヤ２０ａを固定した上で接続するので、巻線ワイヤ２０ａと巻線用端子３１ａとの接続品質を向上することができる。
【００６０】
また、第２突起部１２ａは、巻線用端子３１ａとコイルＴＣとを巻線ワイヤ２０ａで繋ぐワイヤ配線経路ＷＬ上に配置され、第１突起部１１ａは、ワイヤ配線経路ＷＬ外に配置されていてもよい。
【００６１】
このように、第１突起部１１ａがワイヤ配線経路ＷＬ外に配置されていることで、例えば、巻線ワイヤ２０ａと巻線用端子３１ａとの接続後に、第１突起部１１ａと巻線用端子３１ａとの間に位置する不要な巻線ワイヤ２０ａを、容易に取り除くことができる。これにより、巻線ワイヤ２０ａの接続後における不要配線の除去処理を容易に行うことができる。
【００６２】
また、巻線用端子３１ａは、ランド状の電極であり、巻線ワイヤ２０ａの端部ｗｅは、はんだ３５を用いて巻線用端子３１ａに接続されていてもよい。
【００６３】
これによれば、巻線ワイヤ２０ａの端部ｗｅを巻線用端子３１ａに容易に接続することができる。
【００６４】
また、ホルダ本体１０は、第１突起部１１ａと第２突起部１２ａとの間に設けられた配線基板３０を含み、巻線用端子３１ａは、配線基板３０の表面に形成されていてもよい。
【００６５】
これによれば、巻線用端子３１ａをホルダ本体１０に容易に形成することができる。
【００６６】
また、ホルダ本体１０は、一対の側面１０ｃ、１０ｄを有し、第１突起部１１ａおよび第２突起部１２ａは、それぞれが一対の側面１０ｃ、１０ｄから突出していてもよい。
【００６７】
これによれば、ホルダ本体１０の２つの側面１０ｃ、１０ｄにおいて、巻線ワイヤ２０ａの導通接続を容易に行うことができる。
【００６８】
また、巻線用端子３１ａ、３１ｂ、３１ｃとコイルＴＣ、ＦＣ１、ＦＣ２とを巻線ワイヤ２０ａ、２０ｂ、２０ｃで繋ぐワイヤ配線経路ＷＬを複数有し、複数のワイヤ配線経路ＷＬと対応して、ホルダ本体１０の側面（例えば１０ｃ）に、１つの第１突起部、１つの巻線用端子および１つの第２突起部を１組とする複数組（本実施の形態では３組）の第１突起部１１ａ、１１ｂ、１１ｃ、巻線用端子３１ａ、３１ｂ、３１ｃおよび第２突起部１２ａ、１２ｂ、１２ｃが設けられていてもよい。
【００６９】
このように、レンズホルダ１が、複数の巻線ワイヤ２０ａ〜２０ｃに対応する複数組の第１突起部１１ａ〜１１ｃおよび第２突起部１２ａ〜１２ｃを有しているので、複数の巻線用端子３１ａ〜３１ｃに対して巻線ワイヤ２０ａ〜２０ｃの導通接続を容易に行うことができる。
【００７０】
また、第１突起部１１ａの側面１０ｃからの突出量は、第２突起部１２ａの側面１０ｃからの突出量以上であってもよい。
【００７１】
これによれば、例えば、レンズホルダ１を搭載した光ピックアップ装置３に対してＹ方向に急激な加速度が加わった場合であっても、第１突起部１１ａが、対物レンズ駆動装置２の側面を囲む筐体７０に当たって、衝撃を緩和することができる。
【００７２】
また、本実施の形態において、対物レンズ駆動装置２は、上記レンズホルダ１と、ホルダ本体１０に固定された対物レンズ４０と、一端Ｌｅ１側がホルダ本体１０に接続されたリード線（例えば５６ａ）と、リード線５６ａの他端Ｌｅ２側に接続され、リード線５６ａを介してホルダ本体１０を支持するハウジング５０と、ハウジング５０に固定された磁石６０ａ、６０ｂとを備える。
【００７３】
このように、導通接続が容易となった上記レンズホルダ１を用いることで、対物レンズ駆動装置２の生産効率を向上することができる。また、巻線ワイヤ２０ａと巻線用端子３１ａとの接続品質が向上したレンズホルダ１を用いることで、対物レンズ駆動装置２の電気的な接続品質を向上することができる。
【００７４】
また、ホルダ本体１０の表面には、さらに、巻線用端子（例えば３１ａ）と導通するリード線用端子（例えば３２ａ）が設けられ、リード線５６ａの一端Ｌｅ１側は、リード線用端子３２ａに接続されていてもよい。
【００７５】
これによれば、リード線用端子３２ａおよび巻線用端子３１ａを介して、リード線５６ａと巻線ワイヤ２０ａとの導通接続を容易に行うことができる。
【００７６】
また、本実施の形態において、光ピックアップ装置３は、上記対物レンズ駆動装置２と、対物レンズ駆動装置２のハウジング５０を固定する筐体７０とを備える。
【００７７】
このように、生産効率が向上した上記対物レンズ駆動装置２を用いることで、光ピックアップ装置３の生産効率を向上することができる。
【００７８】
また、本実施の形態において、レンズホルダ１の製造方法は以下に示す工程を含む。なお、本実施の形態で示した製造方法では、巻線ワイヤ２０ａを第１突起部１１ａまたは第２突起部１２ａに巻き付けて固定したが、固定方法は巻き付けに限られず、窪みに埋め込んで固定してもよいし、クリップで挟んで固定してもよい。そこで、以下に示すレンズホルダ１の製造方法では、第１突起部１１ａを第１固定部とし、第２突起部１２ａを第２固定部として説明する。
【００７９】
すなわち、本実施の形態において、レンズホルダ１の製造方法では、レンズホルダ１が、巻線ワイヤ２０ａの端部ｗｅの一部ｗｅ１を固定する第１固定部（第１突起部１１ａに相当）と、巻線ワイヤ２０ａの端部ｗｅの一部ｗｅ１よりも中央側に位置する端部ｗｅの他の一部ｗｅ２を固定する第２固定部（第２突起部１２ａに相当）と、第２固定部よりも巻線ワイヤ２０ａの中央側に位置する巻胴部（例えば１３）と、第１固定部と第２固定部との間に位置する巻線用端子３１ａとを有している。そして、レンズホルダ１の製造方法は、第１固定部に巻線ワイヤ２０ａの上記一部ｗｅ１を固定する工程と、第１固定部と第２固定部とを繋ぐように巻線ワイヤ２０ａを延設する工程と、第２固定部に巻線ワイヤ２０ａの上記他の一部ｗｅ２を固定する工程と、第２固定部と巻胴部１３とを繋ぐように巻線ワイヤ２０ａを引き回す工程と、巻胴部１３に巻線ワイヤ２０ａを巻回する工程と、第１固定部と第２固定部との間に延設された巻線ワイヤ２０ａの一部分を、巻線用端子３１ａにはんだ付けする工程とを含む。
【００８０】
これによれば、第１固定部と第２固定部とを用いて巻線ワイヤ２０ａを固定した上で、第１固定部と第２固定部との間に位置する巻線用端子３１ａに巻線ワイヤ２０ａを接続することができる。これにより、巻線ワイヤ２０ａの導通接続を容易に行うことができる。また、巻線ワイヤ２０ａを固定した上で接続するので、巻線ワイヤ２０ａと巻線用端子３１ａとの接続品質を向上することができる。
【００８１】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００８２】
例えば、レンズホルダ１の第１突起部１１ａの側面１０ｃからの突出量は、第２突起部１２ａの側面１０ｃからの突出量以上であってもよい。この構造によれば、光ピックアップ装置３に対してＹ方向に急激な加速度が加わった場合であっても、第１突起部１１ａが、対物レンズ駆動装置２の側面を囲む筐体７０の内壁７１（図１参照）に当たって、衝撃を緩和することができる。また、この構造によれば、巻線ワイヤ２０ａが巻き付けられた第２突起部１２ａが筐体７０の内壁７１に当たることを抑制できるので、巻線ワイヤ２０ａのゆるみや変形を抑制することができる。
【００８３】
例えば、第１突起部１１ａは、第１突起部１１ａの先端の太さが中腹の太さよりも細くなっていてもよい。この構造によれば、巻線処理後に第１突起部１１ａの巻線ワイヤ２０ａを抜いて、容易に除去することができる。
【００８４】
また、第２突起部１２ａは、第２突起部１２ａの先端の太さが中腹の太さよりも太くなっていてもよい。この構造によれば、巻線ワイヤ２０ａを第２突起部１２ａに巻き付けた時または巻き付け後に、第２突起部１２ａから巻線ワイヤ２０ａが抜けることを抑制することができる。
【００８５】
また、レンズホルダ１の製造方法において、レンズホルダ１は、ロボットハンド等によりハンドリングされ、ＸＹ平面に沿って９０°反転するように構成されていてもよい。これによれば、巻線ワイヤ２０ａの引き回しを効率よく行うことができる。
【００８６】
また、第１突起部、第２突起部および巻胴部における巻線ワイヤの巻き付けターン数または巻回数は、本開示に示した巻き付けターン数または巻回数に限定されない。
【００８７】
以上のように、本開示における技術の例示として、実施の形態を説明した。そのために、添付図面および詳細な説明を提供した。
【００８８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８９】
また、上述の実施の形態は、本開示における技術を例示するためのものであるから、特許請求の範囲またはその均等の範囲において種々の変更、置き換え、付加、省略などを行うことができる。
【産業上の利用可能性】
【００９０】
本開示は、ＣＤ、ＤＶＤまたはＢｌｕ−ｒａｙ（登録商標）  Ｄｉｓｃなど記録媒体に対して情報の書き込みや読み取りを行う記録再生装置として利用可能である。
【符号の説明】
【００９１】
１      レンズホルダ
２      対物レンズ駆動装置
３      光ピックアップ装置
４      光ディスク装置
５      ディスク
１０    ホルダ本体
１０ａ、１０ｂ、１０ｃ、１０ｄ  側面
１０ｅ  天面
１１ａ、１１ｂ、１１ｃ  第１突起部（第１固定部）
１２ａ、１２ｂ、１２ｃ  第２突起部（第２固定部）
１３、１４、１５、１６、１７、１８  巻胴部
１９    レンズ固定穴
２０ａ、２０ｂ、２０ｃ  巻線ワイヤ
３０    配線基板
３１ａ、３１ｂ、３１ｃ  巻線用端子
３２ａ、３２ｂ、３２ｃ  リード線用端子
３５    はんだ
４０    対物レンズ
５０    ハウジング
５１    ハウジング本体
５２    支持ブロック
５３    ダンパ
５４ａ、５４ｂ  磁石固定部
５６ａ、５６ｃ、５６ｃ  リード線
５９    フレキシブルケーブル
６０ａ、６０ｂ  磁石
７０    筐体
７１    内壁
８１    ターンテーブル
８２    ガイドシャフト
ＦＣ１、ＦＣ２  フォーカス用のコイル
ＴＣ    トラッキング用のコイル
Ｌｅ１  リード線の一端
Ｌｅ２  リード線の他端
ｗｅ    巻線ワイヤの端部
ＷＬ    ワイヤ配線経路
【図１】
2018129107.tif 000003
【図２】
2018129107.tif 000004
【図３】
2018129107.tif 000005
【図４】
2018129107.tif 000006
【図５】
2018129107.tif 000007
【図６】
2018129107.tif 000008
【図７Ａ】
2018129107.tif 000009
【図７Ｂ】
2018129107.tif 000010